(57)【要約】【課題】装着したままで鉛筆やカッターなどの作業用品を容易に取出し、また元通りに戻すことのできる作業手袋を提供する。【解決手段】作業手袋２の所定箇所に第一面ファスナー３を取付けた手袋体１と、作業用品Ｓに取付けられ、第一面ファスナー３に着脱自在に組付くことによって、作業用品Ｓを前記手袋体１に着脱自在に保持させる第二面ファスナー１０とで構成する。また、第二面ファスナー１０の裏面に、作業用品Ｓへ取付けるための接着層１１を形成し、その上に離型紙１２を設ける。【選択図】      図１
2006161169.tif 000002
【特許請求の範囲】
【請求項１】
作業手袋（２）の所定箇所に第一面ファスナー（３）を取付けた手袋体（１）と、
作業用品（Ｓ）に取付けられ，前記第一面ファスナーに着脱自在に組付くことによって，前記作業用品を前記手袋体に着脱自在に保持させる第二面ファスナー（１０）とからなることを特徴とする保持機能付き作業手袋。
【請求項２】
作業手袋（２）の所定箇所に第一面ファスナー（３）を取付けた手袋体（１）と、
作業用品（Ｓ）に取付けられ，前記第一面ファスナーに着脱自在に組付くことによって，前記作業用品を前記手袋体に着脱自在に保持させる第二面ファスナー（１０）とからなり、
前記第二面ファスナーの裏面には，前記作業用品へ取付けるための接着層（１１）が形成され，その上に離型紙（１２）が設けられたものであることを特徴とする保持機能付き作業手袋。
【請求項３】
前記作業手袋（２）が、メリヤス製縫い合わせ手袋または編み手袋の少なくとも掌部に、高分子補強部材を部分的または全面的に塗布し、あるいはシート状に貼付けて補強加工したもの、さらには革または革と布やメリヤスとを組合わせて縫合した革手袋であることを特徴とする請求項１または２に記載の保持機能付き作業手袋。
【請求項４】
前記第一面ファスナー（３）が磁性素材との組合わせであることを特徴とする請求項１、２または３に記載の保持機能付き作業手袋。
【発明の詳細な説明】
【技術分野】
【０００１】
本発明は、作業用手袋の所定箇所に、筆記用具やカッターなどの作業用品を着脱自在に組付けて保持することのできる保持機能付き作業手袋に関するものである。
【背景技術】
【０００２】
作業手袋を装着して各種の作業を行う場合、マーカー、鉛筆、ボールペン、カッターあるいは手ばさみなどの作業用品を使用する場合が多くある。例えば、流通業務の場合、作業者は、箱ケースにマーカーで番号を記入しながら移動するといった作業が頻繁に要求される。
【０００３】
従来、そうした作業用品は、通常、作業着のポケットなどに収納し、必要に応じて取出し使用している。
【発明の開示】
【発明が解決しようとする課題】
【０００４】
しかし、こうしたマーカー、鉛筆、カッターなどの作業用品を作業着のポケット等に収納した場合、作業手袋を装着したまま当該作業用品を取り出すことは、素手で行う場合と異なり、非常に厄介で手間取る。従って、作業手袋を一旦外して作業用品を取り出し、再び装着すると言った面倒な作業が要求され、作業効率の低下に繋がっている。
【０００５】
本発明はこうした問題に鑑み創案されたもので、装着したままで鉛筆やカッターなどの作業用品を容易に取出し、また元通りに戻すことのできる作業手袋を提供することを課題とする。
【課題を解決するための手段】
【０００６】
図１乃至図４を参照して説明する。請求項１に記載の保持機能付き作業手袋は、作業手袋２の所定箇所に第一面ファスナー３を取付けた手袋体１と、前記作業用品Ｓに取付けられ、前記第一面ファスナー３に着脱自在に組付くことによって、前記作業用品Ｓを前記手袋体１に着脱自在に保持させる第二面ファスナー１０とからなることを特徴とするものである。
【０００７】
請求項２に記載の保持機能付き作業手袋は、作業手袋２の所定箇所に第一面ファスナー３を取付けた手袋体１と、前記作業用品Ｓに取付けられ、前記第一面ファスナー３に着脱自在に組付くことによって、前記作業用品Ｓを前記手袋体１に着脱自在に保持させる第二面ファスナー１０とからなり、前記第二面ファスナー１０の裏面には、前記作業用品Ｓへ取付けるための接着層１１が形成され、その上に離型紙１２が設けられたものであることを特徴とするものである。
【０００８】
請求項３に記載の保持機能付き作業手袋は、請求項１または２に記載の発明において、作業手袋２が、メリヤス製縫い合わせ手袋または編み手袋の少なくとも掌部に、高分子補強部材を部分的または全面的に塗布し、あるいはシート状に貼付けて補強加工したもの、あるいは革または革と布やメリヤスとを組合わせて縫合した革手袋であることを特徴とするものである。
【０００９】
請求項４に記載の保持機能付き作業手袋は、請求項１、２または３に記載の発明において、第一面ファスナー３が磁性素材との組合わせであることを特徴とするものである。
【発明の効果】
【００１０】
請求項１に記載の発明は、作業手袋２の所定箇所に第一面ファスナー３を取付けた手袋体１と、作業用品Ｓに取付けられ、第一面ファスナー３に着脱自在に組付くことによって、当該作業用品Ｓを手袋体１に着脱自在に保持させる第二面ファスナー１０とで構成されるので、他方の手に作業手袋２を装着したままで作業用品Ｓを容易に手袋体１から取出して使用することができ、また、使用後は、容易に元の場所に戻すことができる。
【００１１】
すなわち、第二面ファスナー１０を作業用品Ｓに取付けて固定し、その第二面ファスナー１０を手袋体１の第一面ファスナー３に当接させることによって、当該作業用品Ｓを手袋体１によって保持させることができる。そして、作業手袋２を装着した他方の手で作業用品Ｓを掴んで引くことによって、第二面ファスナー１０が第一面ファスナー３から離れるので、その状態で作業用品Ｓを使用することができる。また、使用後は、当該作業用品Ｓに取付けられている第二面ファスナー１０を第一面ファスナー３に当てるのみで、作業用品Ｓを手袋体１に元通りに保持させることができる。
【００１２】
請求項２に記載の発明は、請求項１に記載の発明と同様に、作業用品Ｓを手袋体１から容易に引き離して使用することができ、また、使用後は容易に元の場所に戻すことができる。
【００１３】
また、第二面ファスナー１０の裏面には、作業用品Ｓへ取付けるための接着層１１が形成され、その上に離型紙１２が設けられているので、離型紙１２を除去した後、その接着層１１を作業用品Ｓに接着させて第二面ファスナー１０を作業用品１０に取付ける。そして、当該第二面ファスナー１０を手袋体１の第一面ファスナー３に当てて係着させ、作業用品Ｓを手袋体１によって保持させることができる。
【００１４】
請求項３に記載の発明は、作業手袋２が、メリヤス製縫い合わせ手袋または編み手袋の少なくとも掌部に、高分子補強部材を部分的または全面的に塗布し、あるいはシート状に貼付けて補強加工したもの、あるいは革または革と布やメリヤスとを組合わせて縫合した革手袋であるので、あらゆる作業に使用される各種の作業手袋２に作業用品Ｓを保持させることができる。
【００１５】
請求項４に記載の発明は、第一面ファスナー３が磁性素材との組合わせであるので、作業用品Ｓが金属製である場合には、その保持を磁力によっても行わせることができる。従って、作業用品Ｓをより強固に手袋体１に保持させることができ、不意の力によって落下するといった事態を未然に防止することができる。
【発明を実施するための最良の形態】
【００１６】
本発明に係る保持機能付き作業手袋の実施形態を、図１乃至図３に示す。この保持機能付き作業手袋は、手袋体１と第二面ファスナー１０とで構成される。手袋体１は、メリヤス製編み手袋の掌部に高分子補強部材を部分的に塗布した作業手袋２の甲部の一部に、第一面ファスナー（マジックテープ（登録商標））３を取付けて構成される。この第一面ファスナー３の作業手袋２に対する取付けは、貼り付け、縫い付け、あるいは融着などの手段によって行うことができる。
【００１７】
第二面ファスナー１０は、作業用品（ここではマーカー）Ｓに取付けられ、第一面ファスナー３に着脱自在に組付くことによって、当該作業用品Ｓを手袋体１に着脱自在に保持させるものである。
【００１８】
この第二面ファスナー１０の裏面には、作業用品Ｓへ取付けるための接着層１１が形成され、その上に離型紙１２が設けられている。従って、この離型紙１２を除去して、接着層１１を作業用品Ｓに接着させて、第二面ファスナー１０を作業用品Ｓに固着する。そして、第二面ファスナー１０を第一面ファスナー３に当接させて係着させることによって、当該作業用品Ｓを手袋体１によって保持させる。
【００１９】
本発明に係る保持機能付き作業手袋の第二実施形態を、図４に示す。この保持機能付き作業手袋における手袋体１は、革手袋の甲部の一部に第一面ファスナー３を取付けたものであり、その第一面ファスナー３に、作業用品Ｓに取付ける前における直線状態の第二面ファスナー１０を係着させたものである。この第二面ファスナー１０の裏面には接着層１１が形成され、その上に離型紙１２が設けられている。
【００２０】
消費者は、この第二面ファスナー１０を第一面ファスナー３から離脱させた後、作業用品Ｓに取付け、再び第一面ファスナー３に係着させて作業用品Ｓを手袋体１に保持させることになる。
【００２１】
なお、作業用品Ｓが手ばさみなどの金属製である場合には、第一面ファスナー３を磁性素材との組合わせで構成し、その磁力によって作業用品Ｓをより強固に保持させることができる。磁性素材との組合わせとは、第一面ファスナー３を磁性素材を有する材料で形成すること、第一面ファスナー３に部分的に磁性素材を混在させること、あるいは第一面ファスナー３に隣接して磁性素材を設けることなどを言う。
【００２２】
本発明に係る保持機能付き作業手袋によって保持できる作業用品Ｓは、前記したマーカーや手ばさみに限定されるものではなく、鉛筆やボールペンなどの筆記用具、あるいはカッター、ドライバー、物差し、巻き尺などあらゆるものを含む。
【００２３】
また、作業用品Ｓがマーカーなどの略円柱形状のものでは、第二面ファスナー１０を当該作業用品Ｓに巻付けて取付けることが好ましいが、例えば、物差しなどのように平面的で、かつ、目盛りを露出させておく必要がある場合には、その裏面のみに第二面ファスナー１０を面状に固着して取付けることが好ましい。
【００２４】
なお、作業手袋２に対する第一面ファスナー３の配置に限定はないが、基本的には甲部に設けるのが作業性の点から好ましい。
【産業上の利用可能性】
【００２５】
本発明に係る保持機能付き作業手袋は、作業用の手袋のみでなく、一般用の手袋にも適用することができる。
【図面の簡単な説明】
【００２６】
【図１】本発明の第一実施形態を示すもので、作業用品を手袋体に保持させた状態を示す正面図である。
【図２】本発明の第一実施形態を示すもので、作業用品を手袋体から引き離した状態を示す正面図である。
【図３】本発明の第一実施形態を示すもので、第二面ファスナーを作業用品に取付ける状態を示す斜視図および正面図である。
【図４】本発明の第二実施形態を示す正面図である。
【符号の説明】
【００２７】
１      手袋体
２      作業手袋
３      第一面ファスナー
１０    第二面ファスナー
１１    接着層
１２    離型紙
Ｓ      作業用品
【図１】
2006161169.tif 000003
【図２】
2006161169.tif 000004
【図３】
2006161169.tif 000005
【図４】
2006161169.tif 000006